(57)【要約】【課題】外部からの表示要求に応じて、コンテンツを取り出し、このコンテンツを表示部にて適切に表示する、画像処理装置を提供する。【解決手段】本発明の画像処理装置１は、リソース識別子を含む表示要求情報を取得するＷｅｂサービス部１３と、取得された上記リソース識別子によって識別されたに接続し、当該リソースからコンテンツを取り出すコンテンツ取得部１２１と、所定の形式にて記述されたコンテンツを表示部１５に表示させるＷｅｂブラウザ部１６と、上記コンテンツが上記所定の形式以外の形式で記述されている場合、上記コンテンツの記述形式を表示部１５に表示できる形式に変換するＸＭＬ変換部１７と、を備えている。【選択図】図１
2008102634.tif 000002
【特許請求の範囲】
【請求項１】
コンテンツを表示させることができる表示部を有する画像処理装置において、
リソース識別子を含む表示要求情報を取得する表示要求情報取得手段と、
取得された上記リソース識別子によって識別されたリソースに接続し、当該リソースからコンテンツを取り出すコンテンツ取得手段と、
所定の形式にて記述されたコンテンツを上記表示部に表示させるコンテンツ表示制御手段と、
上記コンテンツが上記所定の形式以外の形式で記述されている場合、上記コンテンツの記述形式を上記表示部に表示できる形式に変換する変換手段と、
を備えていることを特徴とする画像処理装置。
【請求項２】
コンテンツを表示させることができる表示部を有する画像処理装置において、
リソース識別子を含む表示要求情報を取得する表示要求情報取得手段と、
取得された上記リソース識別子によって識別されたリソースに接続し、当該リソースからコンテンツを取り出すコンテンツ取得手段と、
コンテンツを上記表示部に表示させるコンテンツ表示制御手段とを備え、
上記コンテンツ取得手段は、上記リソースから上記コンテンツを取得する際、上記コンテンツ表示制御手段で表示可能な形式のコンテンツを要求することを特徴とする画像処理装置。
【請求項３】
上記リソースから取得するコンテンツはＸＭＬ形式あるいはＨＴＭＬ形式で記述されていることを特徴とする請求項１または２に記載の画像処理装置。
【請求項４】
上記コンテンツ表示制御手段は、上記リソースから取得するコンテンツをＸＭＬ形式とＨＴＭＬ形式とでそれぞれ切り替え可能に表示することを特徴とする請求項１に記載の画像処理装置。
【請求項５】
コンテンツを格納し、請求項２に記載の画像処理装置へ当該コンテンツを送信する演算装置において、
上記コンテンツの記述の形式を上記画像処理装置にて表示可能な形式に切り替える切替手段を有することを特徴とする演算装置。
【請求項６】
請求項１〜４の何れか１項に記載の画像処理装置と、
上記画像処理装置に上記リソース識別子を含む表示要求情報を送信する第１演算装置と、
コンテンツを格納し当該コンテンツを上記画像処理装置へ送信する第２計演算装置と、
を含むことを特徴とするコンテンツ表示システム。
【請求項７】
上記第２演算装置にセキュリティを確保するためのセキュリティ対策手段が設けられていることを特徴とする請求項６に記載のコンテンツ表示システム。
【請求項８】
コンテンツを表示させることができる表示部を有する画像処理装置の制御方法において、
リソース識別子を含む表示要求情報を取得する表示要求情報取得ステップと、
取得された上記リソース識別子によって識別されたリソースに接続し、当該リソースからコンテンツを取り出すコンテンツ取得ステップと、
所定の形式にて記述されたコンテンツを上記表示部に表示させるコンテンツ表示制御ステップと、
上記コンテンツが上記所定の形式以外の形式で記述されている場合、上記コンテンツの記述形式を上記表示部に表示できる形式に変換する変換ステップと、
を含むことを特徴とする画像処理装置の制御方法。
【請求項９】
コンテンツを表示させることができる表示部を有する画像処理装置の制御方法において、
リソース識別子を含む表示要求情報を取得する表示要求情報取得ステップと、
取得された上記リソース識別子によって識別されたリソースに接続し、当該リソースからコンテンツを取り出すコンテンツ取得ステップと、
上記コンテンツを上記表示部に表示させるコンテンツ表示制御ステップとを備え、
上記コンテンツ取得ステップでは、上記リソースから上記コンテンツを取得する際、上記コンテンツ表示制御ステップで表示可能な形式のコンテンツを要求することを特徴とする画像処理装置の制御方法。
【請求項１０】
請求項１〜４のいずれか１項に記載の画像処理装置の前記の各手段としてコンピュータを機能させるためのプログラム。
【請求項１１】
請求項１０に記載の制御プログラムを記録した、コンピュータ読取可能な記録媒体。
【発明の詳細な説明】
【技術分野】
【０００１】
本発明は、画像処理装置を動作させるための方法および装置、特に、画像処理装置内のクライアントブラウザにコンテンツを伝送するための方法および装置に関するものである。
【背景技術】
【０００２】
プリンタ、コピー機、スキャナ、ファックスなどの画像処理装置は、特定の用途または用途の組み合わせに適合するために、多彩な機能および能力を備えている。画像処理装置は、従来は別々である２つ以上の機能を組み合わせた、多機能周辺機器（ＭＦＰ）の形態を取ることが多い。ＭＦＰは、任意の数の機能を組み合わせて有していて構わないが、一般的には、プリンタ、画像読取器、コピー機、およびファックスの機能を備えている。
【０００３】
また、画像処理装置の中には、データ記憶および処理のためのコンピューティングリソース（例えばプロセッサ、ハードディスクドライブ、メモリ、および、他のデバイス）を備えたものがある。画像処理装置は、さらに特別な構成や機能が付加されると、さらに高価に、そしてさらに複雑なものになる。
【０００４】
さらに複雑な画像処理装置では、例えば、他の演算装置（例えばパーソナルコンピュータ、他の画像処理装置、ネットワークサーバ、および、他の機器）との通信が可能なものがある。このように通信が可能であると、画像処理装置は、接続されたネットワーク上で利用可能な外部リソース（他の演算装置）を使用することができる。
【０００５】
また、画像処理装置は、一般的に、複数のボタン、つまみ、その他のユーザ入力機構を有するユーザ入力パネルを備えている。また、表示パネルを備えた画像処理装置もある。この表示パネルとしては、表示のためだけに用いられるものもあれば、ユーザがディスプレイ上で直接入力できるタッチパネルディスプレイもある。このようにタッチパネルディスプレイを備えた画像処理装置、または、ディスプレイと共に配置されたボタンを有する画像処理装置では、ユーザ入力によって選択されるメニューデータを表示することができるようになっている。このメニューデータは、通常、画像処理装置に搭載されたサーバモジュールによって駆動される。
【０００６】
ここで、例えば、特許文献１には、画像処理装置から取得した利用者情報を用いて決定した広告を画像処理装置に配信し、配信した広告のうち利用者により選択された広告に関するプリント情報を画像処理装置に配信する画像配信方法が記載されている。
【特許文献１】特開２００４−２４０７５２（２００４年８月２６日公開）
【発明の開示】
【発明が解決しようとする課題】
【０００７】
しかしながら、従来の技術において、外部からの表示要求に応じて、外部からコンテンツを取り出し、このコンテンツを表示部に適切に表示する方法はない。
【０００８】
本発明は上記の問題点に鑑みてなされたものであり、その目的は、外部からの表示要求に応じて、コンテンツを取り出し、このコンテンツを表示部にて適切に表示する、画像処理装置等を提供することにある。
【課題を解決するための手段】
【０００９】
本発明に係る画像処理装置は、上記問題を解決するために、コンテンツを表示させることができる表示部を有する画像処理装置において、リソース識別子を含む表示要求情報を取得する表示要求情報取得手段と、取得された上記リソース識別子によって識別されたリソースに接続し、当該リソースからコンテンツを取り出すコンテンツ取得手段と、所定の形式にて記述されたコンテンツを上記表示部に表示させるコンテンツ表示制御手段と、上記コンテンツが上記所定の形式以外の形式で記述されている場合、上記コンテンツの記述形式を上記表示部に表示できる形式に変換する変換手段と、
を備えていることを特徴とするとしている。
【００１０】
また、本発明に係る画像処理装置の制御方法は、上記問題を解決するために、リソース識別子を含む表示要求情報を取得する表示要求情報取得ステップと、取得された上記リソース識別子によって識別されたリソースに接続し、当該リソースからコンテンツを取り出すコンテンツ取得ステップと、所定の形式にて記述されたコンテンツを上記表示部に表示させるコンテンツ表示制御ステップと、上記コンテンツが上記所定の形式以外の形式で記述されている場合、上記コンテンツの記述形式を上記表示部に表示できる形式に変換する変換ステップと、を含むことを特徴としている。
【００１１】
上記構成および上記方法によると、画像処理装置にて、外部からの表示要求に応じて、コンテンツを取り出し、コンテンツが表示できる記述形式のときにはそのまま、表示できない形式のときに表示できる形式に変換して表示させる。よって、表示部にユーザが確認できるように適切に表示することができる。
【００１２】
画像処理装置のコンテンツ表示制御手段は他の処理を行っていたとしても、表示要求情報取得手段がリソース識別子を取得すると、コンテンツ表示制御手段はリソースへ接続してコンテンツを取り出し、画像処理装置の表示部にユーザが確認できるように表示させることができる。よって、例えば、緊急事態等に外部からその警告等を画像処理装置の表示部に適切に表示させることができる。
【００１３】
本発明に係る画像処理装置は、上記問題を解決するために、コンテンツを表示させることができる表示部を有する画像処理装置において、リソース識別子を含む表示要求情報を取得する表示要求情報取得手段と、取得された上記リソース識別子によって識別されたリソースに接続し、当該リソースからコンテンツを取り出すコンテンツ取得手段と、コンテンツを上記表示部に表示させるコンテンツ表示制御手段とを備え、上記コンテンツ取得手段は、上記リソースから上記コンテンツを取得する際、上記コンテンツ表示制御手段で表示可能な形式のコンテンツを要求することを特徴としている。
【００１４】
また、本発明に係る画像処理装置の制御方法は、上記問題を解決するために、コンテンツを表示させることができる表示部を有する画像処理装置の制御方法において、リソース識別子を含む表示要求情報を取得する表示要求情報取得ステップと、取得された上記リソース識別子によって識別されたリソースに接続し、当該リソースからコンテンツを取り出すコンテンツ取得ステップと、上記コンテンツを上記表示部に表示させるコンテンツ表示制御ステップとを備え、上記コンテンツ取得ステップでは、上記リソースから上記コンテンツを取得する際、上記コンテンツ表示制御ステップで表示可能な形式のコンテンツを要求することを特徴としている。
【００１５】
上記構成および上記方法によると、画像処理装置にて、外部からの表示要求に応じて、コンテンツを取り出し、表示部に表示させる。このコンテンツを取り出す際に、自身の画像処理装置にて表示可能な形式のコンテンツを要求する。よって、この自身の画像処理装置にて表示可能な形式のコンテンツを取り出すと、表示部にユーザが確認できるように適切に表示することができる。また、画像処理装置が自身で表示できる形式を要求できる為、コンテンツを提供する側では画像処理装置の機能を意識せずに表示要求を画像処理装置に送信することができる。
【００１６】
また、本発明に係る画像処理装置が上記リソースから取得するコンテンツは、ＸＭＬ形式あるいはＨＴＭＬ形式で記述されていてもよい。
【００１７】
コンテンツがＸＭＬ形式で記述されている場合には、ＸＭＬ形式をユーザインターフェーステンプレートへ変換できる画像処理装置でコンテンツを表示することができる。コンテンツがＨＴＭＬ形式で記述されている場合には、コンテンツ表示制御手段の表現能力の高い画像処理装置であれば、コンテンツをそのまま表示することができる。
【００１８】
また、本発明の画像処理装置では、上記構成に加え、上記コンテンツ表示制御手段は、上記リソースから取得するコンテンツをＸＭＬ形式とＨＴＭＬ形式とでそれぞれ切り替え可能に表示してもよい。
【００１９】
上記構成によると、テンプレート表示とＷｅｂ形式の表示との２つの表示を交互に表示させるなど、切り替えながらコンテンツを表示することができる。また、取得するコンテンツの切り替えを画像処理装置にて行えると、コンテンツを送信する装置ではファイル形式を意識することなく画像形成装置に送信できるため、コンテンツを送信する装置のプログラム作成が容易になる。
【００２０】
また、本発明に係る演算装置は、上記問題を解決するために、コンテンツを格納し、上記画像処理装置へ当該コンテンツを送信する演算装置において、上記コンテンツの記述の形式を上記画像処理装置にて表示可能な形式に切り替える切替手段を有することを特徴としている。
【００２１】
上記構成によると、演算装置にてコンテンツの記述の形式を送信先の画像処理装置にて表示可能な形式に切り替えるので、コンテンツを受け取る画像処理装置では切り替えのロジックを持つ必要がない。そのため、画像処理装置を安価に構成でき、また、演算装置で自由にコンテンツの表示を制御することができる。
【００２２】
また、本発明に係るコンテンツ表示システムは、上記問題を解決するために、上記いずれかの画像処理装置と、上記画像処理装置に上記リソース識別子を含む表示要求情報を送信する第１演算装置と、コンテンツを格納し当該コンテンツを上記画像処理装置へ送信する第２演算装置と、を含むことを特徴としている。
【００２３】
上記システムによると、第１演算装置からリソース識別子を含む表示要求情報を画像処理装置に送信し、画像処理装置はそのリソース識別子を元に、第２演算装置からコンテンツを取り出し適切に表示することができる。なお、第１演算装置と第２演算装置とが一つの装置となっていてもよい。
【００２４】
また、本発明に係るコンテンツ表示システムでは、上記第２演算装置にセキュリティを確保するためのセキュリティ対策手段が設けられていてもよい。
【００２５】
上記システムでは、セキュリティ対策を複数の計算機端末で実施し、またメンテナンスするのは大変な作業であるが、画像処理装置に送信するコンテンツを格納している危険にさらされやすい（狙われやすい）演算装置のみに絞ってセキュリティ対策を行なうことにより、セキュリティに関し最小限の労力で最大限の効果を発揮することができる。
【００２６】
ところで、上記画像処理装置は、ハードウェアで実現してもよいし、プログラムをコンピュータに実行させることによって実現してもよい。具体的には、本発明に係るプログラムは、上記いずれかの構成の画像処理装置の各手段としてコンピュータを動作させるプログラムであり、本発明に係るコンピュータ読み取り可能な記録媒体には、当該プログラムが記録されている。
【００２７】
このプログラムがコンピュータによって実行されると、当該コンピュータは、上記画像処理装置として動作する。したがって、上記画像処理装置と同様に、画像処理装置にて、外部からの表示要求に応じて、ＸＭＬ形式あるいはＨＴＭＬ形式で記述されているコンテンツを取り出し、このコンテンツを表示部に表示することができる。
【発明の効果】
【００２８】
本発明に係る画像処理装置は、以上のように、リソース識別子を含む表示要求情報を取得する表示要求情報取得手段と、取得された上記リソース識別子によって識別されたリソースに接続し、当該リソースからコンテンツを取り出すコンテンツ取得手段と、所定の形式にて記述されたコンテンツを上記表示部に表示させるコンテンツ表示制御手段と、上記コンテンツが上記所定の形式以外の形式で記述されている場合、上記コンテンツの記述形式を上記表示部に表示できる形式に変換する変換手段と、を備えている。
【００２９】
また、本発明に係る画像処理装置は、以上のように、リソース識別子を含む表示要求情報を取得する表示要求情報取得手段と、取得された上記リソース識別子によって識別されたリソースに接続し、当該リソースからコンテンツを取り出すコンテンツ取得手段と、コンテンツを上記表示部に表示させるコンテンツ表示制御手段とを備え、上記コンテンツ取得手段は、上記リソースから上記コンテンツを取得する際、上記コンテンツ表示制御手段で表示可能な形式のコンテンツを要求する。
【００３０】
よって、外部からの表示要求に応じて、コンテンツを取り出し、このコンテンツを表示部に適切に表示することができる。
【発明を実施するための最良の形態】
【００３１】
本発明の実施の一形態について、図１〜３に基づいて、以下に説明する。なお、以下の実施の形態は，本発明を具体化した一例であって，本発明の技術的範囲を限定するものではない。本実施の形態では、画像処理装置は、多機能複写機（ＭＦＰ）であるとする。また、画像処理装置を管理する管理はＰＣ（パーソナルコンピュータ）であるとする。図１は、本実施の形態の画像処理装置１と第１演算装置３と第２演算装置２との主要構成を示すブロック図である。本実施形態では、以下で表示要求情報を画像処理装置１に送信する装置を第１演算装置とし、コンテンツを画像処理装置１に送信する装置を第２演算装置とする。しかし、例えば、第１演算装置と第２演算装置とが一つになっている形態であってもよい。本実施の形態では、図１に示すように、画像処理装置１と１１０とでコンテンツ表示システム４を形成している。画像処理装置１と第１演算装置３と第２演算装置２とがネットワークにより相互に通信可能に接続されて構成されている。図１では、画像処理装置１と第１演算装置３と第２演算装置２とは、それぞれ１つのみ記載しているが、複数の画像処理装置、複数の演算装置がネットワーク接続されていてもよい。この接続の形態は、どのような形態であってもよく、有線接続であっても無線接続であってもよいし、また、相互に通信する専用の回線により接続していてもよい。ネットワークも広域のものでも狭域のものであってもかわない。
【００３２】
画像処理装置１は、画像読取部１１、制御部１２、Ｗｅｂサービス部（表示要求情報取得手段）１３、ネットワークインターフェーイス（ネットワークＩ／Ｆ）部１４、表示部１５、Ｗｅｂブラウザ部（コンテンツ表示制御手段）１６、ＸＭＬ変換部（言語変換手段）１７を備えている。
【００３３】
画像読取部１１は、ユーザ入力あるいは、ネットワーク接続している演算装置からの画像読み取り要求を受けて原稿を読み取り、画像データを作成するブロックである。
【００３４】
制御部１２は、コンピュータプログラムに従って、画像処理装置１における各種構成の動作を統括的に制御するブロックである。また、制御部１２は、コンテンツ取得部（コンテンツ取得手段）１２１を備えており、コンテンツ取得部１２１は、Ｗｅｂサービス部１３により取得されたリソース識別子によって識別されたリソースに接続し、当該リソースからコンテンツを取り出すブロックである。
【００３５】
Ｗｅｂサービス部１３は、リソース識別子を含む表示要求情報を外部から取得するブロックである。表示要求情報とは、画像処理装置１に対して表示を行うよう要求するための情報である。リソース識別子とは、表示部１５に表示させるコンテンツを取り出す先のリソースを識別するための情報である。
【００３６】
ネットワークＩ／Ｆ部１４は、ネットワークを介して外部と通信を行なうブロックである。
【００３７】
表示部１５は、ユーザにユーザインターフェース（ＵＩ）を提供するものであり、コンテンツを含む各種画面表示を行う。また、表示部１５は、タッチパネルとして実現されてもよく、その場合、各種画面表示以外に各種操作ボタン等の表示を行ない、その表示された各種操作ボタンを介してユーザから入力される、画像処理装置１の設定や動作指示に対する操作入力信号を、制御部１２に送信するようになっていてもよい。もちろん、操作入力を行なう操作部が表示部と別に設けられていてもよい。
【００３８】
Ｗｅｂブラウザ部１６は、コンテンツ取得部１２１が取得したコンテンツを表示部１５に表示するブロックである。ＸＭＬ変換部１７は、取得したコンテンツがＸＭＬ形式で記述されている場合、表示部１５に表示させるためのユーザインターフェーステンプレートに変換するブロックである。つまり、ここでは、Ｗｅｂブラウザ部１６は、所定の形式（例えばＨＴＭＬ形式）にて記述されたコンテンツを表示部１５に表示させ、また、コンテンツが上記所定の形式以外の形式で記述されている場合には、ＸＭＬ変換部１７で、コンテンツの記述形式を上記表示部に表示できる形式（ユーザインターフェーステンプレート）に変換するようになっている。
【００３９】
第１演算装置３は、ネットワークを介して外部と通信可能なネットワークＩ／Ｆ部３１、及びアプリケーション部３２を備えており、画像処理装置１に対してＵＩの表示要求や、画像読み取り指示等を行なう。
【００４０】
第２演算装置２は、ネットワークを介して外部と通信可能なネットワークＩ／Ｆ部２１、画像処理装置１を管理するＷｅｂサーバー部２３、画像処理装置１に表示させるためのコンテンツを格納しているコンテンツ格納部２４、セキュリティ部（セキュリティ対策手段）２２を備えている。コンテンツは、コンテンツはＸＭＬ形式あるいはＨＴＭＬ形式で記述されているとする。コンテンツは、画像処理装置１の表示部１５に表示させる情報であればどのようなものであってもよい。
【００４１】
画像処理装置１がリソース識別子により第２演算装置２を識別すると、第２演算装置２は、画像処理装置１からの要求に対し、コンテンツ格納部２４に格納されたコンテンツを画像処理装置１に送る。なお、例えば、第２演算装置２が、複数のコンテンツ毎にコンテンツ格納部を有しており、リソース識別子がそのコンテンツ格納部リソースとして識別するものであってもよい。
【００４２】
また、第２演算装置２は、Ｗｅｂサーバー部２３を有しており、悪意により外部から攻撃を受ける可能性が高いため、セキュリティホール対策やファイアーウォール対策等のセキュリティを高めるために、セキュリティ部２２が設けられている。セキュリティ部２２は、外部からの攻撃に対してセキュリティを確保するよう、セキュリティ対策を行なうブロックである。
【００４３】
次に、コンテンツ表示システム４における処理について、図２のフローチャートを用いて説明する。
【００４４】
はじめに、第１演算装置３のアプリケーション部３２は、画像処理装置１にＵＩ表示を要求するために、ネットワークＩ／Ｆ部３１を介して画像処理装置１へ表示要求情報の送信を行なう（Ｓ３０１）。画像処理装置１は、ネットワークＩ／Ｆ部１４を介してＷｅｂサービス部１３で表示要求情報を取得すると、制御部１２のコンテンツ取得部１２１は、第２演算装置２に対してコンテンツの要求を行なうために、ネットワークＩ／Ｆ部１４を介してコンテンツ要求情報を第２演算装置２に送信する（Ｓ３０２）。第２演算装置２は、ネットワークＩ／Ｆ部２１を介して、Ｗｅｂサーバー部２３で受け取ったコンテンツ要求情報に対して、コンテンツ格納部２４からコンテンツを読み出し、画像処理装置１に送信する（Ｓ３０３）。
【００４５】
次に画像処理装置１では、制御部１２のコンテンツ取得部１２１は、ネットワークＩ／Ｆ部１４を介して取得する。そして、この取得されたコンテンツをＷｅｂブラウザ部１６が表示部１５にて表示する。なお、制御部１２は、コンテンツのデータ形式がＸＭＬ形式かＨＴＭＬ形式かを判定する（Ｓ３０４）。判定の結果ＸＭＬ形式であれば、ＸＭＬ変換部１７にてＸＭＬ形式のデータをブラウザ表示言語に変換し（Ｓ３０５）、ＨＴＭＬ形式であればそのままＷｅｂブラウザ部へコンテンツを送信する。コンテンツを受領したＷｅｂブラウザ部１６は、ディスプレイ部にコンテンツを表示する（Ｓ３０６）。
【００４６】
なお、コンテンツはＸＭＬ形式のデータのみの場合もあれば、ＨＴＭＬ形式のデータのみの場合もある。また、第１演算装置３からの表示要求が行なわれる度に、ＸＭＬ形式のデータとＨＴＭＬ形式のデータとを切り替えることも可能である。切り替える手法としては、画像処理装置１で自身が表示できるコンテンツの表示形式を第２演算装置２に伝達する手法でもよい。あるいは、画像処理装置１で自身で表示できる形式に変換するという手法でもよい。あるいは、第１演算装置３が画像形成装置１にて取得する形式を画像形成装置１に要求するという手法でもよい。
【００４７】
次に、図３に示すフローチャートを用いて、画像処理装置１からのトリガによってＵＩ表示の要求を行なう場合について説明する。画像処理装置１は、ユーザ等からの通常操作が行なわれると、または紙詰まり等の画像処理装置１におけるエラー発生時に、第１演算装置３へ画像処理装置の状態情報を通知する（Ｓ４０１）。この状態情報の通知を受けた第１演算装置３は、通常操作による状態情報の通知なのか、エラー発生による状態情報の通知なのかを、判別する（Ｓ４０２）。通常操作による状態情報通知であると判別した場合は。通常操作用のＵＩを画像処理装置１に表示させるため、画像処理装置１に、通常操作用のＵＩ表示要求を送信する（Ｓ４０３）。エラー発生による状態情報の通知であると判別した場合は、エラー発生用のＵＩを画像処理装置１に表示させるため、画像処理装置１に、エラー発生用のＵＩ表示要求を送信する（Ｓ４０４）。これ以降のステップは図２のＳ３０２以降と同様である。
【００４８】
なお、通常操作、及びエラー発生の場合において表示要求するＵＩは、１対１対応する予約済みの定型ＵＩでもよいし、カスタムＵＩでもよい。また、そのＵＩの形式は、通常操作時とエラー発生時とで、ＸＭＬ形式とＨＴＭＬ形式とが別であってもよいし、一緒の形式でもよい。
【００４９】
以上で説明した画像処理装置１では、第１演算装置３からの表示要求に応じて、リソースとして識別される第２演算装置からコンテンツを取り出す。そして、コンテンツの記述形式を、Ｗｅｂブラウザ部１６が表示部１５に表示できるＨＴＭＬ形式のときにはそのまま、ＸＭＬ形式の場合にはブラウザ部１６が表示部１５に表示できる言語の記述形式に変換して、表示させる。よって、画像処理装置１では、外部要求に応じて、コンテンツを取り出し、表示部１５にユーザが確認できるように適切に表示することができる。
【００５０】
また、Ｗｅｂブラウザ部１６は他の処理を行っていたとしても、画像処理装置１のＷｅｂサービス部１３からリソース識別子が転送されてくると、リソースとして識別される第２演算装置２へ接続してコンテンツを取り出し、画像処理装置１の表示部１５にてユーザが確認できるように表示させることができる。よって、例えば、エラー発生時等、緊急事態に外部からその警告等を画像処理装置１の表示部１５に表示させることができる。
【００５１】
なお、図２および３を用いて説明した上記処理では、コンテンツ表示システム４全体における処理である。ここで、Ｓ３０１，Ｓ４０２〜Ｓ４０４は第１演算装置、Ｓ３０２，Ｓ３０４〜Ｓ３０６，Ｓ４０１は画像処理装置１、Ｓ３０３は第２演算装置にて行なわれる処理である。
【００５２】
また、画像処理装置１の各ブロックは、ハードウェアロジックによって構成してもよいし、次のようにＣＰＵを用いてソフトウェアによって実現してもよい。
【００５３】
すなわち、画像処理装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像処理装置１の制御プログラムのプログラムコード（実行形式プログラム、中間コードプログラム、ソースプログラム）をコンピュータで読み取り可能に記録した記録媒体を、上記画像処理装置１に供給し、そのコンピュータ（またはＣＰＵやＭＰＵ）が記録媒体に記録されているプログラムコードを読み出し実行することによっても、達成可能である。
【００５４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５５】
また、画像処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５７】
本発明は、例えば、通信機能を有するプリンタ、コピー機、スキャナ、ファックス等を備えた装置やシステムに適用することができる。
【図面の簡単な説明】
【００５８】
【図１】本発明の一実施形態の画像処理装置を含むコンテンツ表示システムの構成を示すブロック図である。
【図２】上記コンテンツ表示システムでの基本的な処理の流れを示すフローチャートである。
【図３】上記コンテンツ表示システムにおける表示要求送信の処理の流れを示すフローチャートである。
【００５９】
複数の遠隔演算装置およびリンクされたリソースを含む、本発明の一実施形態の構成要素を示す図である。
【符号の説明】
【００６０】
１      画像処理装置
２      演算装置
３      演算装置
４      コンテンツ表示システム
１１    画像読取部
１２    制御部
１３    Ｗｅｂサービス部（表示要求情報取得手段）
１５    表示部
１６    Ｗｅｂブラウザ部（コンテンツ表示制御手段）
１７    ＸＭＬ変換部（言語変換手段）
２２    セキュリティ部（セキュリティ対策手段）
２４    コンテンツ格納部
１２１  コンテンツ取得部
【図１】
2008102634.tif 000003
【図２】
2008102634.tif 000004
【図３】
2008102634.tif 000005